(57)【要約】  【課題】簡単に開かれるのを防止できる配線カバー41を提供する。  【解決手段】配線カバー41は、商品排出装置の基板25に取り付けるカバー本体42、カバー本体42に支点部43を介して開閉可能に連結した開閉体44を有する。カバー本体42の取付面部48に基板25に取り付ける取付部50を設ける。取付面部48には取付部50から離れた位置つまり取付部50の位置よりも変形可能な位置に非取付部位置本体側フック55を設ける。開閉体44の先端には非取付部位置本体側フック55の内側から係合する非取付部位置開閉側フック62を設ける。開閉体44をカバー本体42の内方へ押し込んで非取付部位置開閉側フック62を非取付部位置本体側フック55の内側から外す。このとき、取付面部48の変形によって非取付部位置開閉側フック62と一緒に非取付部位置本体側フック55が動き、非取付部位置開閉側フック62が非取付部位置本体側フック55から外れにくい。  【選択図】図１
2005173831.tif 000002
【特許請求の範囲】
【請求項１】
被取付部に取り付けられる取付部が一部に設けられた取付面部、この取付面部の一側から延設されて一側面を覆う本体カバー部、および取付面部の他側でかつ取付部の他側位置から離れた位置に設けられた非取付部位置本体側フックを有するカバー本体と、
このカバー本体の本体カバー部の先端に支点部を介して回動可能に連結されるとともにカバー本体の他側面を開閉可能に覆う開閉カバー部、およびこの開閉カバー部の先端に前記非取付部位置本体側フックの内側から着脱可能に係合する非取付部位置開閉側フックを有する開閉体と
を具備していることを特徴とする配線カバー。
【請求項２】
カバー本体の取付面部には一側から他側に向けてレバー部が設けられるとともにこのレバー部の両側に切欠部が設けられ、レバー部の先端に非取付部位置本体側フックが設けられている
ことを特徴とする請求項１記載の配線カバー。
【請求項３】
カバー本体に、複数の取付部が設けられるとともに取付面部の他側でかつ各取付部の他側位置に複数の取付部位置本体側フックが設けられ、
開閉体に、開閉カバー部の先端に前記各取付部位置本体側フックの内側から着脱可能に係合する複数の取付部位置開閉側フックが設けられている
ことを特徴とする請求項１または２記載の配線カバー。
【請求項４】
取付部は、被取付部に設けられた取付孔に挿脱可能とする爪部、この爪部の基端一側に設けられ取付孔に挿入された爪部の一側方向への移動によって取付孔の一側縁部に係合可能とする一側溝部、爪部の基端他側に設けられ取付孔に挿入された爪部の他側方向への移動によって取付孔の他側縁部に係合可能とする他側溝部を有している
ことを特徴とする請求項１ないし３いずれか記載の配線カバー。
【請求項５】
被取付部に取り付けられる取付部が設けられた取付面部、この取付面部の一側から延設されて一側面を覆う本体カバー部、および取付面部の他側に設けられた本体側フックを有するカバー本体と、
このカバー本体の本体カバー部の先端に支点部を介して回動可能に連結されるとともにカバー本体の他側面を開閉可能に覆う開閉カバー部、およびこの開閉カバー部の先端に前記本体側フックに着脱可能に係合する開閉側フックを有する開閉体とを具備し、
前記取付部は、前記被取付部に設けられた取付孔に挿脱可能とする爪部、この爪部の基端一側に設けられ取付孔に挿入された爪部の一側方向への移動によって取付孔の一側縁部に係合可能とする一側溝部、爪部の基端他側に設けられ取付孔に挿入された爪部の他側方向への移動によって取付孔の他側縁部に係合可能とする他側溝部を有している
ことを特徴とする配線カバー。
【請求項６】
下部に商品を取り出す取出口が設けられた機体と、
この機体内で商品を収納するコラムと、
このコラムの下部から商品を前記取出口へ排出する商品排出装置と、
この商品排出装置の下部に取り付けられた請求項１ないし５いずれか記載の配線カバーと
を具備していることを特徴とする自動販売機。
【発明の詳細な説明】
【技術分野】
【０００１】
本発明は、開かれたり外されたりするのを防止した配線カバー、およびこの配線カバーを用いた自動販売機に関する。
【背景技術】
【０００２】
従来、例えば缶入り飲料やペットボトルなどの商品を販売する自動販売機では、機体の前面下部に商品を取り出す取出口が設けられ、機体内に商品を収納する複数のコラムおよびこれら各コラムの下部から商品を１つずつ排出する商品排出装置が配設されており、このコラムの下部から商品排出装置によって排出された商品が取出口に送り出される。商品排出装置の下部には、商品排出装置が有するソレノイドやセンサなどの電気機器に対して電気的に接続される配線を束ねた束線を収納するための配線カバーが取り付けられている（例えば、特許文献１参照。）。
【０００３】
図１０および図１１に、商品排出装置１の下部に取り付けられる配線カバー２を示す。この配線カバー２は、弾性性を有する樹脂製で、商品排出装置１の下部に取り付けられるカバー本体３、およびこのカバー本体３に開閉可能に連結された開閉体４を有している。カバー本体３には、商品排出装置１に取り付けられる取付部５が長手方向（配線方向）の２箇所に間隔をあけて配置された取付面部６が設けられ、この取付面部６の縁部で各取付部５の位置に対応した２箇所に本体側フック７が設けられ、また、開閉体４の先端には、カバー本体３の各取付部５の位置に対応した２箇所に各本体側フック７の内側から着脱可能に係合する開閉側フック８が設けられている。
【０００４】
そして、束線Ｌを収納した配線カバー２を閉じる場合には、開閉体４をカバー本体３に閉じて開閉体４の開閉側フック８を本体側フック７の内側から係合させる。一方、配線カバー２を開く場合には、開閉体４の先端側をカバー本体３の内方へ押し込み、開閉体４を下方へスライドさせながら開閉側フック８を本体側フック７から外し、開閉体４を開く。このとき、開閉側フック８と一緒に本体側フック７が動いて取付面部６の変形しようとするが、本体側フック７は取付部５に位置にあり、この取付部５の位置では取付面部６の変形が規制されるため、開閉側フック８を本体側フック７から簡単に外すことができる。これにより、配線カバー２を閉じた状態から片手でも簡単に開くことが可能になっている。
【０００５】
また、取付部５は、基端一側に溝部9aが設けられた略Ｌ字形の爪部９を有し、この爪部９を商品排出装置1に設けられた取付孔1aに挿入し、配線カバー２を一端側へ移動させることにより、溝部9aを取付孔1aの一側縁部に係合させて引っ掛けて取り付けている。一方、配線カバー２を外す場合には、配線カバー２を他端側へ移動させ、各爪部９を取付孔1aの他端縁部に当接させることで、爪部９を取付孔1aから引き抜く。
【特許文献１】特開平９−１２８６３６号公報（第３頁、図１−２）
【発明の開示】
【発明が解決しようとする課題】
【０００６】
ところで、商品排出装置１および配線カバー２は、自動販売機の下部であって、自動販売機の取出口から片手を入れて触れることが可能な位置にある。
【０００７】
そのため、悪戯などによって、自動販売機の取出口から片手を入れ、配線カバー２の開閉体４の先端側をカバー本体３の内方へ押し込まれれば、開閉体４を簡単に開放されてしまい、あるいは、配線カバー２を他端側へ移動されれば、配線カバー２が簡単に外さてしまう。
【０００８】
このように、配線カバー２が開かれたり、配線カバー２が外された場合には、束線を保護できず束線が切断されて動作不能になったり、商品が配線カバー２に引っ掛かるなどして商品詰まりが発生するおそれがある。
【０００９】
本発明は、このような点に鑑みなされたもので、簡単に開かれたり外されたりするのを防止できる配線カバー、およびこの配線カバーを用いた自動販売機を提供することを目的とする。
【課題を解決するための手段】
【００１０】
請求項１記載の配線カバーは、被取付部に取り付けられる取付部が一部に設けられた取付面部、この取付面部の一側から延設されて一側面を覆う本体カバー部、および取付面部の他側でかつ取付部の他側位置から離れた位置に設けられた非取付部位置本体側フックを有するカバー本体と、このカバー本体の本体カバー部の先端に支点部を介して回動可能に連結されるとともにカバー本体の他側面を開閉可能に覆う開閉カバー部、およびこの開閉カバー部の先端に前記非取付部位置本体側フックの内側から着脱可能に係合する非取付部位置開閉側フックを有する開閉体とを具備しているものである。
【００１１】
そして、この構成では、カバー本体の取付面部の他側であって取付部の他側位置から離れた位置つまり取付部の他側位置よりも変形可能な位置に非取付部位置本体側フックを設けるとともに、開閉体の開閉カバー部の先端に非取付部位置本体側フックの内側から着脱可能に係合する非取付部位置開閉側フックを設けたので、開閉体の開閉カバー部の先端を片手で押し込んで非取付部位置開閉側フックを非取付部位置本体側フックの内側から外そうとしても、非取付部位置開閉側フックと一緒に非取付部位置本体側フックが動き、非取付部位置開閉側フックが非取付部位置本体側フックから外れにくく、したがって、非取付部位置本体側フックを一方の手で押えながら他方の手で非取付部位置開閉側フックを外すという両手を使う作業を必要とし、組立作業中などに配線カバーに触れても簡単に開くことがないとともに、悪戯などによって簡単に開いてしまうのを防止可能とする。
【００１２】
請求項２記載の配線カバーは、請求項１記載の配線カバーにおいて、カバー本体の取付面部には一側から他側に向けてレバー部が設けられるとともにこのレバー部の両側に切欠部が設けられ、レバー部の先端に非取付部位置本体側フックが設けられているものである。
【００１３】
そして、この構成では、カバー本体の取付面部には一側から他側に向けてレバー部を設けるとともにこのレバー部の両側に切欠部を設け、このレバー部の先端に非取付部位置本体側フックを設けたので、レバー部を介して非取付部位置本体側フックを変形しやすく、非取付部位置開閉側フックが非取付部位置本体側フックから外れにくくなる。
【００１４】
請求項３記載の配線カバーは、請求項１または２記載の配線カバーにおいて、カバー本体に、複数の取付部が設けられるとともに取付面部の他側でかつ各取付部の他側位置に複数の取付部位置本体側フックが設けられ、開閉体に、開閉カバー部の先端に前記各取付部位置本体側フックの内側から着脱可能に係合する複数の取付部位置開閉側フックが設けられているものである。
【００１５】
そして、この構成では、カバー本体の取付面部の他側であって複数の取付部の他側位置に複数の取付部位置本体側フックを設け、開閉体の開閉カバー部の先端に各取付部位置本体側フックの内側から着脱可能に係合する複数の取付部位置開閉側フックを設けたので、配線カバーの閉じた状態が確実に保たれる。
【００１６】
請求項４記載の配線カバーは、請求項１ないし３いずれか記載の配線カバーにおいて、取付部は、被取付部に設けられた取付孔に挿脱可能とする爪部、この爪部の基端一側に設けられ取付孔に挿入された爪部の一側方向への移動によって取付孔の一側縁部に係合可能とする一側溝部、爪部の基端他側に設けられ取付孔に挿入された爪部の他側方向への移動によって取付孔の他側縁部に係合可能とする他側溝部を有しているものである。
【００１７】
そして、この構成では、被取付部に設けられた取付孔に挿脱可能とする取付部の爪部の基端一側および基端他側に、取付孔の一側縁部および他側縁部に係合可能とする一側溝部および他側溝部を設けたので、取付孔に挿入した爪部を一側方向へ移動させて一側溝部を取付孔の一側縁部に係合させた取付状態から、配線カバーを単に他側方向へ移動させただけでは、他側溝部が取付孔の他側縁部に係合し、爪部を取付孔から外すことができず、爪部を外すためには爪部を取付孔に位置合わせする作業を必要とし、悪戯などによって簡単に外れてしまうのを防止可能とする。
【００１８】
請求項５記載の配線カバーは、被取付部に取り付けられる取付部が設けられた取付面部、この取付面部の一側から延設されて一側面を覆う本体カバー部、および取付面部の他側に設けられた本体側フックを有するカバー本体と、このカバー本体の本体カバー部の先端に支点部を介して回動可能に連結されるとともにカバー本体の他側面を開閉可能に覆う開閉カバー部、およびこの開閉カバー部の先端に前記本体側フックに着脱可能に係合する開閉側フックを有する開閉体とを具備し、前記取付部は、前記被取付部に設けられた取付孔に挿脱可能とする爪部、この爪部の基端一側に設けられ取付孔に挿入された爪部の一側方向への移動によって取付孔の一側縁部に係合可能とする一側溝部、爪部の基端他側に設けられ取付孔に挿入された爪部の他側方向への移動によって取付孔の他側縁部に係合可能とする他側溝部を有しているものである。
【００１９】
そして、この構成では、被取付部に設けられた取付孔に挿脱可能とする取付部の爪部の基端一側および基端他側に、取付孔の一側縁部および他側縁部に係合可能とする一側溝部および他側溝部を設けたので、取付孔に挿入した爪部を一側方向へ移動させて一側溝部を取付孔の一側縁部に係合させた取付状態から、配線カバーを単に他側方向へ移動させただけでは、他側溝部が取付孔の他側縁部に係合し、爪部を取付孔から外すことができず、爪部を外すためには爪部を取付孔に位置合わせする作業を必要とし、悪戯などによって簡単に外れてしまうのを防止可能とする。
【００２０】
請求項６記載の自動販売機は、下部に商品を取り出す取出口が設けられた機体と、この機体内で商品を収納するコラムと、このコラムの下部から商品を前記取出口へ排出する商品排出装置と、この商品排出装置の下部に取り付けられた請求項１ないし５いずれか記載の配線カバーとを具備しているものである。
【００２１】
そして、この構成では、商品排出装置の下部に請求項１ないし５いずれか記載の配線カバーを取り付けたため、悪戯などによって取出口から片手を入れて配線カバーに触れても、配線カバーが簡単に開かれたり外されてしまうのを防止可能とする。
【発明の効果】
【００２２】
請求項１記載の配線カバーによれば、カバー本体の取付面部の他側であって取付部の他側位置から離れた位置つまり取付部の他側位置よりも変形可能な位置に非取付部位置本体側フックを設けるとともに、開閉体の開閉カバー部の先端に非取付部位置本体側フックの内側から着脱可能に係合する非取付部位置開閉側フックを設けたので、開閉体の開閉カバー部の先端を片手で押し込んで非取付部位置開閉側フックを非取付部位置本体側フックの内側から外そうとしても、非取付部位置開閉側フックと一緒に非取付部位置本体側フックが動き、非取付部位置開閉側フックが非取付部位置本体側フックから外れにくくでき、したがって、非取付部位置本体側フックを一方の手で押えながら他方の手で非取付部位置開閉側フックを外すという両手を使う作業を必要とし、組立作業中などに配線カバーに触れても簡単に開くことがないとともに、悪戯などによって簡単に開いてしまうのを防止できる。
【００２３】
請求項２記載の配線カバーによれば、請求項１記載の配線カバーの効果に加えて、カバー本体の取付面部には一側から他側に向けてレバー部を設けるとともにこのレバー部の両側に切欠部を設け、このレバー部の先端に非取付部位置本体側フックを設けたので、レバー部を介して非取付部位置本体側フックを変形しやすくでき、非取付部位置開閉側フックが非取付部位置本体側フックから外れにくくできる。
【００２４】
請求項３記載の配線カバーによれば、請求項１または２記載の配線カバーの効果に加えて、カバー本体の取付面部の他側であって複数の取付部の他側位置に複数の取付部位置本体側フックを設け、開閉体の開閉カバー部の先端に各取付部位置本体側フックの内側から着脱可能に係合する複数の取付部位置開閉側フックを設けたので、配線カバーの閉じた状態を確実に保つことができる。
【００２５】
請求項４記載の配線カバーによれば、請求項１ないし３いずれか記載の配線カバーの効果に加えて、被取付部に設けられた取付孔に挿脱可能とする取付部の爪部の基端一側および基端他側に、取付孔の一側縁部および他側縁部に係合可能とする一側溝部および他側溝部を設けたので、取付孔に挿入した爪部を一側方向へ移動させて一側溝部を取付孔の一側縁部に係合させた取付状態から、配線カバーを単に他側方向へ移動させただけでは、他側溝部が取付孔の他側縁部に係合し、爪部を取付孔から外すことができず、爪部を外すためには爪部を取付孔に位置合わせする作業を必要とし、悪戯などによって簡単に外れてしまうのを防止できる。
【００２６】
請求項５記載の配線カバーによれば、被取付部に設けられた取付孔に挿脱可能とする取付部の爪部の基端一側および基端他側に、取付孔の一側縁部および他側縁部に係合可能とする一側溝部および他側溝部を設けたので、取付孔に挿入した爪部を一側方向へ移動させて一側溝部を取付孔の一側縁部に係合させた取付状態から、配線カバーを単に他側方向へ移動させただけでは、他側溝部が取付孔の他側縁部に係合し、爪部を取付孔から外すことができず、爪部を外すためには爪部を取付孔に位置合わせする作業を必要とし、悪戯などによって簡単に外れてしまうのを防止できる。
【００２７】
請求項６記載の自動販売機によれば、商品排出装置の下部に請求項１ないし５いずれか記載の配線カバーを取り付けたため、悪戯などによって取出口から片手を入れて配線カバーに触れても、配線カバーが簡単に開かれたり外されてしまうのを防止できる。
【発明を実施するための最良の形態】
【００２８】
以下、本発明の一実施の形態を図１ないし図９を参照して説明する。
【００２９】
図８に示すように、例えば缶入り飲料やペットボトルなどの商品を販売する自動販売機11は、機体12として販売機本体13およびこの販売機本体13の前面に開閉可能に設けられる扉体14を有している。
【００３０】
扉体14の上部側には商品見本展示部や操作部などが配設され、扉体14の下部側には販売時に排出された商品を取り出す取出口15が配設されている。
【００３１】
販売機本体13には、商品を種類別に収納するサーペンタイン形の複数のコラム16が前後方向および左右方向に複数列ずつ並んで設けられ、各コラム16の下部に各コラム16内の最下位の商品を１つずつ排出する商品排出装置17が配設され、さらに、商品排出装置17の下方には排出された商品を取出口15へ案内するシュート18が配設されている。
【００３２】
図９に示すように、各商品排出装置17は、商品が通過する商品通路21を有し、この商品通路21の両側に商品排出装置本体22とガイド板23とが対向配置されるとともに両端に端板24が対向配置されている。商品排出装置本体22は、被取付部としての基板25を有し、この基板25に最下位の商品を係止する下側ラッチ26、および最下位の商品の排出時に最下位から２番目の商品を係止する上側ラッチ27がそれぞれ設けられ、これら下側ラッチ26および上側ラッチ27がソレノイドなどで駆動される。基板25には、商品売り切れを検知するセンサなども配設されている。そのため、ソレノイドやセンサなどの電気部品と自動販売機11内に設置される制御装置などとを接続するための配線が束ねられた束線Ｌ（図７に示す）が、商品排出装置17の基板25の下側に配線されている。
【００３３】
図１および図２には、商品排出装置17の基板25の下部側を示し、基板25の下部には取付縁部28が折曲形成され、この取付縁部28には基板25の幅方向に離間した２箇所に角孔である取付孔29が形成されている。
【００３４】
次に、図１ないし図５には、商品排出装置17の基板25の下部に取り付けられて商品排出装置17に接続される配線が束ねられた束線Ｌを収納する配線カバー（束線カバー）41を示す。
【００３５】
この配線カバー41は、例えば弾性を有する樹脂製で、基板25の幅方向つまり束線Ｌの配線方向に沿って長手状に一体形成されており、基板25に取り付けられるカバー本体42、このカバー本体42に支点部43を介して開閉可能に連結された開閉体44を有し、これらカバー本体42と開閉体44との内側に束線Ｌを収納する収納部45が形成されている。
【００３６】
カバー本体42は、基板25の取付縁部28の下面に沿って取り付けられる取付面部48を有し、この取付面部48の一側から下方へ延設されて収納部45の一側面および下面を覆う断面略Ｌ字形に形成された本体カバー部49が設けられ、この本体カバー部49の先端に支点部43を介して開閉体44が回動可能に連結されている。
【００３７】
取付面部48には、基板25の各取付孔29の位置に対応して、取付面部48の幅方向つまり配線方向に離間した２箇所に取付部50が突設されている。これら取付部50は、取付孔29に挿脱可能とする略Ｔ字形の爪部51を有し、この爪部51の基端一側には取付孔29に挿入された爪部51の一側方向への移動によって取付孔29の一側縁部に係合する一側溝部52が形成され、爪部51の基端他側には取付孔29に挿入された爪部51の他側方向への移動によって取付孔29の他側縁部に係合する他側溝部53が形成されている。
【００３８】
取付面部48の他側には、各取付部50の他側位置である２箇所に取付部位置本体側フック54が設けられているとともに、各取付部50の他側位置から離れた（外れた）位置である２箇所の取付部位置本体側フック54の間でかつカバー本体42の中央域に非取付部位置本体側フック55が設けられている。これらフック54，55は、取付面部48の他側から折曲された断面略Ｌ字形で、先端にはカバー本体42の内方に向くフック部54a，55aが形成されている。
【００３９】
取付面部48の２箇所の取付部50間の中央域には、一側から他側に向けてレバー部56が設けられるとともに、このレバー部56の両側であって各取付部50との間に切欠部57がそれぞれ設けられており、このレバー部56の先端に非取付部位置本体側フック55が設けられている。
【００４０】
また、開閉体44は、カバー本体42の本体カバー部49の先端に支点部43を介して回動可能に連結された開閉カバー部60を有し、この開閉カバー部60によってカバー本体42の他側面側つまり収納部45の下面および他側面を開閉可能に覆う。
【００４１】
開閉カバー部60の開閉端である先端には、各取付部位置本体側フック54の位置に対応した２箇所に各取付部位置本体側フック54の内側から着脱可能に係合する取付部位置開閉側フック61が設けられているとともに、これら取付部位置開閉側フック61の間で非取付部位置本体側フック55の位置に対応した開閉カバー部60の中央域の１箇所に非取付部位置本体側フック55の内側から着脱可能に係合する非取付部位置開閉側フック62が設けられている。これらフック61，62は、開閉カバー部60の先端から折曲された断面略Ｌ字形で、先端には開閉カバー部60の外側に向いてカバー本体42側の各フック54，55のフック部54a，55aの内側から係合可能とするフック部61a，62aが形成されている。
【００４２】
次に、本実施の形態の作用を説明する。
【００４３】
まず、商品排出装置17の基板25に対する配線カバー41の取り付け、取り外しについて説明する。
【００４４】
配線カバー41の取付時には、図６(a)に示すように、配線カバー41の各爪部51を基板25の各取付孔29の位置に合わせて挿入し、配線カバー41を一側方向（図中右方向）へ移動させることにより、図６(b)に示すように、爪部51の一側溝部52を取付孔29の一側縁部に係合させて爪部51を取付孔29の一側縁部上に引っ掛け、配線カバー41を基板25に取り付ける。
【００４５】
配線カバー41の取外時には、図６(b)に示す取付状態から配線カバー41を他側方向（図中左方向）に移動させ、配線カバー41の各爪部51を基板25の各取付孔29の位置に合わせ、各爪部51を各取付孔29から引き抜き、配線カバー41を基板25から外す。
【００４６】
次に、基板25に取り付けられた配線カバー41の閉鎖、開放について説明する。
【００４７】
配線カバー41を閉じるときには、図５に示すように、配線カバー41の開閉体44が開いた状態で束線Ｌをカバー本体42および開閉体44の内側に配線し、開閉体44を支点部43を中心にカバー本体42に対して閉じるように回動させ、図２に示すように、開閉体44の各フック61，62をカバー本体42の各フック54，54の内側から係合させ、開閉体44を閉じた状態で係止する。
【００４８】
配線カバー41を開くときには、図７(a)に示すように、開閉体44の先端側中央域をカバー本体42の内方へ押し込み、開閉体44を下方へスライドさせながら開閉体44の各フック61，62をカバー本体42の各フック54，54から外し、図７(d)に示すように、支点部43を中心として開閉体44を開く。
【００４９】
このとき、非取付部位置本体側フック55が、取付面部48の２箇所の取付部50間で、各取付部50との間に切欠部57を介して取付面部48の一側から他側に向けて設けられたレバー部56の先端に設けられているため、図７(b)に示すように、開閉体44の先端側中央域をカバー本体42の内方へ押し込むと、非取付部位置開閉側フック62と一緒に非取付部位置本体側フック55が動きやすく、非取付部位置開閉側フック62が非取付部位置本体側フック55から外れにくい。そこで、図７(c)に示すように、一方の手で非取付部位置本体側フック55を基板25側に押えながら、他方の手で開閉体44の先端側中央域をカバー本体42の内方へ押し込み、開閉体44を下方へスライドさせることにより、非取付部位置開閉側フック62が非取付部位置本体側フック55から外すことができる。
【００５０】
次に、悪戯などによって、自動販売機11の取出口15から片手を入れ、配線カバー41を外そうとしたり開こうとした場合について説明する。
【００５１】
配線カバー41を外そうとした場合、図６(b)に示す取付状態から配線カバー41を他側方向（図中左方向）に移動させるが、図６(c)に示すように、単に配線カバー41を他側方向に移動させただけでは、配線カバー41の各爪部51の他側溝部53が基板25の取付孔29の他側縁部に係合して爪部51が取付孔29の他側縁部上に引っ掛かり、配線カバー41を基板25から外せない。
【００５２】
一方、図６(c)に示す状態から、単に配線カバー41を一側方向（図中右方向）に移動させただけでは、配線カバー41の各爪部51の一側溝部52が基板25の取付孔29の他側縁部に係合して爪部51が取付孔29の一側縁部上に引っ掛かり、配線カバー41を基板25から外せない。
【００５３】
したがって、配線カバー41を一側方向および他側方向に単に移動させただけでは、配線カバー41の各爪部51を基板25の各取付孔29の位置に合わせない限り、配線カバー41を基板25から外すことはできず、悪戯などによって簡単に外れてしまうのを防止できる。そのため、束線Ｌを保護でき、束線Ｌが切断されて動作不能になるのを防止できるとともに、商品が外された配線カバー41に引っ掛かるなどして商品詰まりが発生するのを防止できる。
【００５４】
また、配線カバー41を開放しようとした場合、図７(a)に示すように、開閉体44の先端側中央域をカバー本体42の内方へ押し込み、開閉体44を下方へスライドさせながら開閉体44の各フック61，62をカバー本体42の各フック54，54から外そうとするが、非取付部位置本体側フック55が、取付面部48の２箇所の取付部50間で、各取付部50との間に切欠部57を介して取付面部48の一側から他側に向けて設けられたレバー部56の先端に設けられているため、図７(b)に示すように、開閉体44の先端側中央域をカバー本体42の内方へ押し込むと、非取付部位置開閉側フック62と一緒に非取付部位置本体側フック55が動くやすく、非取付部位置開閉側フック62が非取付部位置本体側フック55から外れにくい。
【００５５】
しかも、取付部位置に対応した各フック54，61の間であってカバー本体42および開閉体44の中央域に非取付部位置の各フック55，62を設けたので、開閉体44の先端中央域を片手で押し込んで外そうとしても外れにくいばかりか、非取付部位置のフック55，62の両側の取付部位置の各フック54，61も外れにくくなり、片手ではより外れにくくできる。
【００５６】
したがって、片手による操作では非取付部位置開閉側フック62が非取付部位置本体側フック55から外れにくく、非取付部位置本体側フック55を一方の手で押えながら他方の手で非取付部位置開閉側フック62を外すという両手を使う作業をしなければ、非取付部位置開閉側フック62を非取付部位置本体側フック55から外せないため、悪戯などによって簡単に開いてしまうのを防止できる。そのため、束線Ｌを保護でき、束線Ｌが切断されて動作不能になるのを防止できるとともに、商品が開いた配線カバー41に引っ掛かるなどして商品詰まりが発生するのを防止できる。
【００５７】
なお、非取付部位置本体側フック55および非取付部位置開閉側フック62を設ける箇所を増やすことにより、あるいは非取付部位置本体側フック55および非取付部位置開閉側フック62の幅を広げることにより、さらには非取付部位置本体側フック55および非取付部位置開閉側フック62の引っ掛かり代を大きくとることにより、片手による操作では配線カバー41をより開きにくくすることができる。
【００５８】
また、前記実施の形態では、配線カバー41に、非取付部位置本体側フック55および非取付部位置開閉側フック62と非取付部位置本体側フック55および非取付部位置開閉側フック62とを併用したが、非取付部位置本体側フック55および非取付部位置開閉側フック62のみを設けてもよい。
【００５９】
また、配線カバー41の取付部50の各爪部51の基端一側および基端他側に一側溝部52および他側溝部53を設けたが、各爪部51の基端の一側および他側に交差する方向の両側つまり前後側にも取付孔29の前後縁部に係合可能とする溝部を設け、配線カバー41を一側方向に加えて後方または前方へ移動させることで取付孔29の縁部に取り付けるように構成すれば、各爪部51を各取付孔29から抜ける位置を合わせにくくし、配線カバー41を外れにくくすることができる。
【図面の簡単な説明】
【００６０】
【図１】本発明の一実施の形態を示す自動販売機に用いられる配線カバーの取付状態の正面図である。
【図２】同上配線カバーの取付状態の側面図である。
【図３】同上配線カバーの開放状態の平面図である。
【図４】同上配線カバーの開放状態の正面図である。
【図５】同上配線カバーの開放状態の側面図である。
【図６】同上配線カバーの取付時および取外時の動作を(a)〜(c)に説明する正面図である。
【図７】同上配線カバーの開放時の動作を(a)〜(d)に説明する断面図である。
【図８】同上自動販売機の扉体を開放した斜視図である。
【図９】同上自動販売機の商品排出装置の斜視図である。
【図１０】従来の配線カバーの取外方法を(a)〜(c)に説明する断面図である。
【図１１】従来の取付および取外方法を(a)〜(c)に説明する正面図である。
【符号の説明】
【００６１】
11    自動販売機
12    機体
15    取出口
16    コラム
17    商品排出装置
25    被取付部としての基板
29    取付孔
41    配線カバー
42    カバー本体
43    支点部
44    開閉体
48    取付面部
49    本体カバー部
50    取付部
51    爪部
52    一側溝部
53    他側溝部
54    取付部位置本体側フック
55    非取付部位置本体側フック
56    レバー部
57    切欠部
60    開閉カバー部
61    取付部位置開閉側フック
62    非取付部位置開閉側フック
【図１】
2005173831.tif 000003
【図２】
2005173831.tif 000004
【図３】
2005173831.tif 000005
【図４】
2005173831.tif 000006
【図５】
2005173831.tif 000007
【図６】
2005173831.tif 000008
【図７】
2005173831.tif 000009
【図８】
2005173831.tif 000010
【図９】
2005173831.tif 000011
【図１０】
2005173831.tif 000012
【図１１】
2005173831.tif 000013